(57)【要約】【課題】開口枠に歪みが生じた場合にも水密性及び遮音性を確保すること。【解決手段】開口枠１０に対して障子２０をスライド可能に配設し、障子２０を閉じた際に戸先框２３と戸先枠１３との間に外方タイト材３０を介在させることにより開口枠１０と障子２０との間の気密性を確保するようにした建具において、戸先框２３に戸先枠１３の見付け面に当接するように外方タイト材３０を配設するとともに、戸先枠１３の見付け面において外方タイト材３０に対向する部位に突条部１３ｃを形成し、障子２０が閉じた状態から開く方向にスライドした場合に突条部１３ｃに係合可能となるように外方タイト材３０の先端部に鉤状部３３を形成した。【選択図】図５
2016000902.tif 000002
【特許請求の範囲】
【請求項１】
開口枠に対して障子をスライド可能に配設し、前記障子を閉じた際に戸先框と前記戸先框に対応した戸先枠との間に気密保持部材を介在させることにより前記開口枠と前記障子との間の気密性を確保するようにした建具において、
前記戸先框及び前記戸先枠のいずれか一方に、いずれか他方の見付け面に当接するように前記気密保持部材を配設するとともに、いずれか他方の見付け面において前記気密保持部材に対向する部位に突条部を形成し、さらに前記障子が閉じた状態から開く方向にスライドした場合に前記突条部に係合可能となるように前記気密保持部材の先端部に鉤状部を形成したことを特徴とする建具。
【請求項２】
前記気密保持部材は、前記戸先框及び前記戸先枠のいずれか一方に装着される基部と、前記基部から突出するように延在し、先端部に前記鉤状部を有した薄板状部とを有し、かつ前記薄板状部及び前記鉤状部は、前記基部に比較して軟質となる樹脂材によって成形したことを特徴とする請求項１に記載の建具。
【請求項３】
前記薄板状部は、前記基部において前記戸先框及び前記戸先枠のいずれか他方に近接する縁部に設けたことを特徴とする請求項２に記載の建具。
【請求項４】
前記薄板状部には、前記障子がスライドした場合に先端部がいずれか他方の見付け面に沿って折れ曲がるように薄肉部を形成したことを特徴とする請求項２に記載の建具。
【請求項５】
前記鉤状部は、前記障子がスライドした場合に円弧に沿った外周面を介していずれか他方の見付け面に摺接するように円筒状に形成したことを特徴とする請求項１に記載の建具。
【請求項６】
前記戸先框に前記気密保持部材を配設し、かつ前記戸先枠に当接ヒレ部を形成し、前記障子を閉じた場合に前記気密保持部材の先端部を前記当接ヒレ部の見付け面に当接させたことを特徴とする請求項１に記載の建具。
【発明の詳細な説明】
【技術分野】
【０００１】
本発明は、建具に関するもので、特に開口枠に対して障子をスライド可能に支持した建具に関するものである。
【背景技術】
【０００２】
引き違い窓等のように開口枠に対して障子をスライド可能に支持した建具では、障子の戸先と開口枠との間に気密保持部材を介在させることにより、障子を閉じた際の気密性を確保するようにしている。例えば、特許文献１の建具では、障子の戸先に位置する縦框に気密保持部材が設けられているとともに、縦枠に当接ヒレ部が設けられており、障子を閉じた際に気密保持部材の先端部を縦枠の当接ヒレ部に当接させるようにしている。
【先行技術文献】
【特許文献】
【０００３】
【特許文献１】特開２００４−３１６１０９号公報
【発明の概要】
【発明が解決しようとする課題】
【０００４】
ところで、建具の開口枠には、設置された家屋の躯体に経年劣化が生じた場合の影響や外的衝撃を受けた場合の影響によって歪みが生じるおそれがある。特に、家屋が木造の場合には、ＲＣ造の家屋に比べて躯体が経年劣化の影響を受けやすいため、上述の問題が顕著となる。開口枠に生じる歪みとしては、図７の（ａ）に示すように、上枠ａと下枠ｂとが水平方向に沿って位置がずれるものや、図７の（ｂ）に示すように、下枠ｂの中央部が下方に垂れ下がるように変形するものがある。いずれの場合においても、開口枠ｃに歪みが生じると、気密保持部材が設けられた障子ｄの縦框ｅに対して縦枠ｆが相対的に傾斜した状態となる。このため、障子ｄを閉じた際にも障子ｄの気密保持部材と縦枠ｆの当接ヒレ部との当接状態を維持することが困難となり、縦枠ｆと縦框ｅとの間の隙間から音漏れがする等、気密性が損なわれることになる。
【０００５】
本発明は、上記実情に鑑みて、開口枠に歪みが生じた場合にも気密性を確保することのできる建具を提供することを目的とする。
【課題を解決するための手段】
【０００６】
上記目的を達成するため、本発明に係る建具は、開口枠に対して障子をスライド可能に配設し、前記障子を閉じた際に戸先框と前記戸先框に対応した戸先枠との間に気密保持部材を介在させることにより前記開口枠と前記障子との間の気密性を確保するようにした建具において、前記戸先框及び前記戸先枠のいずれか一方に、いずれか他方の見付け面に当接するように前記気密保持部材を配設するとともに、いずれか他方の見付け面において前記気密保持部材に対向する部位に突条部を形成し、さらに前記障子が閉じた状態から開く方向にスライドした場合に前記突条部に係合可能となるように前記気密保持部材の先端部に鉤状部を形成したことを特徴とする。
【０００７】
この発明によれば、開口枠に歪みが生じた場合であっても、障子を閉じた際の勢いで戸先框が戸先枠に沿うように障子が転び、一旦気密保持部材がいずれか他方の見付け面に当接すれば、障子が元に戻った際にも気密保持部材の鉤状部が突条部に係合した状態を維持し、開口枠と障子との間の気密性を確保することができるようになる。
【０００８】
また本発明は、上述した建具において、前記気密保持部材は、前記戸先框及び前記戸先枠のいずれか一方に装着される基部と、前記基部から突出するように延在し、先端部に前記鉤状部を有した薄板状部とを有し、かつ前記薄板状部及び前記鉤状部は、前記基部に比較して軟質となる樹脂材によって成形したことを特徴とする。
【０００９】
この発明によれば、いずれか他方の見付け面に当接する薄板状部及び鉤状部を、基部に比較して軟質となる樹脂材によって成形しているため、いずれか他方の見付け面との密着性を高めることができるようになる。しかも、戸先框及び戸先枠のいずれか一方に装着される基部については相対的に硬質となる樹脂材によって成形しているため、戸先框及び戸先枠のいずれか一方から容易に脱落するおそれはない。
【００１０】
また本発明は、上述した建具において、前記薄板状部は、前記基部において前記戸先框及び前記戸先枠のいずれか他方に近接する縁部に設けたことを特徴とする。
【００１１】
この発明によれば、戸先框及び戸先枠のいずれか他方に対して近接した位置に薄板状部が設けられるため、開口枠のより大きな歪みにも対応することが可能である。
【００１２】
また本発明は、上述した建具において、前記薄板状部には、前記障子がスライドした場合に先端部がいずれか他方の見付け面に沿って折れ曲がるように薄肉部を形成したことを特徴とする。
【００１３】
この発明によれば、障子がスライドした場合に薄板状部が薄肉部を介して容易に折れ曲がるため、薄板状部の先端部がいずれか他方の見付け面に沿って配置されることになる。従って、障子が開く方向にスライドした場合にスリップスティック現象等の自励振動が生じることはなく、先端の鉤状部をより確実に突条部に係合させることが可能となる。
【００１４】
また本発明は、上述した建具において、前記鉤状部は、前記障子がスライドした場合に円弧に沿った外周面を介していずれか他方の見付け面に摺接するように円筒状に形成したことを特徴とする。
【００１５】
この発明によれば、円弧に沿った外周面を介していずれか他方の見付け面に摺接するため、障子が閉じる場合及び障子が開く場合のいずれにおいても、いずれか他方の見付け面に対して円滑に摺接させることが可能である。
【００１６】
また本発明は、上述した建具において、前記戸先框に前記気密保持部材を配設し、かつ前記戸先枠に当接ヒレ部を形成し、前記障子を閉じた場合に前記気密保持部材の先端部を前記当接ヒレ部の見付け面に当接させたことを特徴とする。
【００１７】
この発明によれば、戸先枠に設けた当接ヒレ部の見付け面に対して戸先框に配設した気密保持部材を当接させることにより、開口枠と障子との間の気密性が確保される。
【発明の効果】
【００１８】
本発明によれば、開口枠に歪みが生じた場合であっても、障子を閉じた際の勢いで戸先框が戸先枠に沿うように障子が転び、一旦気密保持部材がいずれか他方の見付け面に当接すれば、障子が元に戻った際にも気密保持部材の鉤状部が突条部に係合した状態を維持し、開口枠と障子との間の気密性を確保することができるようになる。
【図面の簡単な説明】
【００１９】
【図１】図１は、本発明の実施の形態である建具を室内側から見た図である。
【図２】図２は、図１に示した建具の横断面図である。
【図３】図３は、図１に示した建具に適用する気密保持部材を示した拡大図である。
【図４】図４は、図１に示した建具において障子が開いた状態から閉じた状態となるまでの間の気密保持部材の変形過程を順に示した要部横断面図である。
【図５】図５は、図１に示した建具において障子が閉じた状態から開いた状態となるまでの間の気密保持部材の変形過程を順に示した要部横断面図である。
【図６】図６は、図１に示した建具において障子が開いた状態から閉じた状態となるまでの間の気密保持部材の変形過程を示した要部拡大横断面図である。
【図７】図７は、建具の開口枠に歪みが生じた場合の障子との関係を示したもので、（ａ）は上枠と下枠とが水平方向に沿って位置がずれた場合の図、（ｂ）は、下枠の中央部が下方に垂れ下がるように変形した場合の図である。
【発明を実施するための形態】
【００２０】
以下、添付図面を参照しながら本発明に係る建具の好適な実施の形態について詳細に説明する。
【００２１】
図１及び図２は、本発明の実施の形態である建具を示したものである。ここで例示する建具は、開口枠１０に対して２枚の障子２０を左右方向に沿ってスライド可能に配設した引き違い窓と称されるものである。開口枠１０は、上枠１１、下枠１２及び左右の縦枠（戸先枠）１３を四周枠組みすることによって構成した矩形状を成すもので、躯体Ｗに取り付けてある。障子２０は、それぞれ上框２１、下框２２及び左右の縦框２３，２４を四周框組みし、かつこれら上框２１、下框２２及び一対の縦框２３，２４の間にガラス板等の面材２５を配設することによって構成したものである。開口枠１０を構成するそれぞれの枠１１，１２，１３及び障子２０を構成するそれぞれの框２１，２２，２３，２４は、アルミニウムやアルミニウム合金、あるいは樹脂材によって成形した押し出し形材であり、長手方向の全長にわたってほぼ一様な断面形状を有している。図２に示すように、本実施の形態では室内側から見て、室外側の障子（以下、区別する場合に「外障子２０」という）を開口枠１０の左側に配置し、かつ室内側の障子（以下、区別する場合に「内障子２０」という）を開口枠１０の右側に配置し、それぞれの障子２０において開口枠１０の中央側となる縦框（以下、「召し合わせ框２４」という）を見込み方向に沿って重ね合わせた場合に、２枚の障子２０によって開口枠１０が閉じた状態となるように障子２０及び開口枠１０が構成してある。図２中の符号２６は、外障子２０の召し合わせ框２４と内障子２０の召し合わせ框２４との間に設けたクレセントである。
【００２２】
図２からも明らかなように、開口枠１０を閉じた場合にそれぞれの障子２０において縦枠１３に近接する縦框（以下、「戸先框２３」という）には、縦枠１３に対向する見込み面に一対の対向ヒレ部２３ａ，２３ｂが設けてあり、かつ縦枠１３の見込み面には、支持ヒレ部１３ａ及び当接ヒレ部１３ｂが設けてある。
【００２３】
対向ヒレ部２３ａ，２３ｂは、戸先框２３の見込み面において室外側の縁部及び室内側の縁部からそれぞれ縦枠１３に向けて突出したもので、戸先框２３の全長にわたって形成してある。これらの対向ヒレ部２３ａ，２３ｂの間にはガイド部材２７が装着してある。ガイド部材２７は、樹脂材によって成形したブロック状の部材であり、縦枠１３の対向する部位にガイド溝２７ａを有している。ガイド溝２７ａは、戸先框２３の長手方向に沿って延在する溝状の凹部であり、室内側に位置する部位にガイド面２７ｂを有している。ガイド面２７ｂは、障子２０が閉じた場合に後述する縦枠１３の当接ヒレ部１３ｂに当接するようにその位置が規定してある。
【００２４】
支持ヒレ部１３ａは、室内側に設けた対向ヒレ部２３ｂよりもさらに室内側となる部位から突出したもので、先端部に内方タイト材１５を保持している。内方タイト材１５は、支持ヒレ部１３ａの室外側に向いた見付け面に装着され、障子２０を閉じた場合に戸先框２３の室内側に向いた見付け面に当接することによって障子２０との間の気密性を確保するものである。
【００２５】
当接ヒレ部１３ｂは、戸先框２３に設けた一対の対向ヒレ部２３ａ，２３ｂの間となる部分から戸先框２３に向けて突出した平板状を成すもので、縦枠１３の全長にわたって形成してある。当接ヒレ部１３ｂの先端部には、突条部１３ｃが設けてある。突条部１３ｃは、当接ヒレ部１３ｂの先端から室外側に向けて突出したもので、当接ヒレ部１３ｂの全長に形成してある。この当接ヒレ部１３ｂは、障子２０を閉じた場合に戸先框２３の対向ヒレ部２３ａ，２３ｂの間に配置され、かつ先端部がガイド部材２７のガイド溝２７ａに収容される突出長さに形成してある。
【００２６】
さらに、室外側に設けた対向ヒレ部２３ａの先端部には、室内側に向いた見付け面に外方タイト材（気密保持部材）３０が設けてある。外方タイト材３０は、図３に示すように、基端部が幅広となり、かつ先端部が一側方に向けて屈曲した形状を成す基部３１と、基部３１よりも軟質の樹脂材によって成形し、基部３１の屈曲した先端部から突出するように設けた薄板状部３２とを有したもので、２色成形によって一体に成形してある。基部３１と薄板状部３２とは、例えば塩化ビニルの発泡率を変更することで基部３１に対して相対的に薄板状部３２を軟質に成形することが可能である。
【００２７】
この外方タイト材３０は、図２に示すように、薄板状部３２を対向ヒレ部２３ａの先端部側に配置した状態で基部３１を介して対向ヒレ部２３ａに装着してある。図２からも明らかなように、対向ヒレ部２３ａに装着した外方タイト材３０は、薄板状部３２が室内側に向けてほぼ直角となる向きに突出した状態にあり、障子２０を閉じた場合に縦枠１３に設けた当接ヒレ部１３ｂに当接することが可能である。
【００２８】
この薄板状部３２には、先端部に鉤状部３３が設けてあるとともに、基部３１に近接した基端部に薄肉部３４が形成してある。鉤状部３３は、薄板状部３２の先端から戸先框２３に近接する方向に向けて円筒状に湾曲し、先端が基部３１に向いた状態となるもので、薄板状部３２と同様、軟質の樹脂材によって成形してある。薄肉部３４は、薄板状部３２において戸先框２３の見込み面に対向する面を窪ませることによって形成したもので、薄板状部３２の突出長さに対して基部３１から約１／５となる位置に設けてある。
【００２９】
上記のように構成した建具では、図４の（ａ）〜図４の（ｃ）に示すように、障子２０を開いた状態から閉じる方向にスライドさせると、縦枠１３の支持ヒレ部１３ａ及び当接ヒレ部１３ｂと戸先框２３の対向ヒレ部２３ａ，２３ｂとがそれぞれ見込み方向に沿って互いに重なる位置となる。さらに、縦枠１３の当接ヒレ部１３ｂがガイド部材２７のガイド面２７ｂに当接する位置まで障子２０がスライドすると、ガイド部材２７を介して当接ヒレ部１３ｂに当接した障子２０が開口枠１０に対して室内側に引き寄せられる。従って、支持ヒレ部１３ａに装着した内方タイト材１５の先端部が戸先框２３の室内側に向いた見付け面に当接されるとともに、対向ヒレ部２３ａに装着した外方タイト材３０が鉤状部３３を介して当接ヒレ部１３ｂの室外側に向いた見付け面に当接された状態となり、開口枠１０と障子２０との間の気密性を確保することが可能となる。しかも、硬質の基部３１に対して薄板状部３２及び鉤状部３３を軟質の樹脂材によって成形しているため、当接ヒレ部１３ｂの見付け面との密着性を十分に確保することができるとともに、比較的硬質となる基部３１を介して対向ヒレ部２３ａに装着しているため、外方タイト材３０が不用意に脱落する事態を招来することがない。
【００３０】
上述したように、当接ヒレ部１３ｂの先端には、突条部１３ｃが設けてある。従って、外方タイト材３０が当接ヒレ部１３ｂの見付け面に当接する過程においては突条部１３ｃを乗り越える必要がある。しかしながら、外方タイト材３０の薄板状部３２には、基端部に薄肉部３４が設けているとともに、先端部に円筒状の鉤状部３３が設けている。このため、図６に示すように、外方タイト材３０は、円弧に沿った外周面を介して当接ヒレ部１３ｂの先端及び突条部１３ｃに当接し、その後、薄肉部３４から容易に屈曲するように弾性的に変形することになり、途中で引っ掛かるような事態を招来することなく、円滑、かつ確実に当接ヒレ部１３ｂの見付け面に当接することになる。
【００３１】
ここで、建具が設置された家屋の躯体Ｗに経年劣化が生じた場合の影響や外的衝撃を受けた場合の影響によって開口枠１０に歪みが生じると、開口枠１０の縦枠１３と障子２０の戸先框２３とが相対的に傾斜するため、障子２０を閉じた場合にも縦枠１３の支持ヒレ部１３ａ及び当接ヒレ部１３ｂと戸先框２３の対向ヒレ部２３ａ，２３ｂとの見込み方向に沿った互いの重なり量が小さくなったり、ゼロとなる場合がある。
【００３２】
このため、図５の（ａ）〜図５の（ｄ）に示すように、単に先端部を戸先框２３の見付け面に当接させるように構成した内方タイト材１５にあっては、縦枠１３の支持ヒレ部１３ａと戸先框２３の対向ヒレ部２３ｂとの見込み方向に沿った互いの重なり量が小さくなったり、ゼロとなった場合、戸先框２３との当接状態を維持することが困難となる。
【００３３】
これに対して薄板状部３２の先端部に鉤状部３３を形成し、先端に突条部１３ｃを設けた当接ヒレ部１３ｂに対して鉤状部３３を当接させるように構成した外方タイト材３０によれば、障子２０を閉じた際の勢いで戸先框２３が戸先枠に沿うように障子２０が転び、図５の（ａ）に示すように、一旦鉤状部３３が当接ヒレ部１３ｂの見付け面に当接すれば、その後、図５の（ｂ）〜図５の（ｄ）に示すように、戸先框２３が縦枠１３と相対的に傾斜するような姿勢に戻った際にも、外方タイト材３０の鉤状部３３が突条部１３ｃに係合することによって当接ヒレ部１３ｂとの当接状態を維持することが可能となる。これにより、建具の気密性を確保することができ、縦枠１３と戸先框２３との間の隙間から音漏れがする等の問題を招来するおそれがなくなる。図５の（ｃ）や図５の（ｄ）に示すように、外方タイト材３０の鉤状部３３が突条部１３ｃに係合している状態であっても、障子２０を開く方向にスライドさせれば、鉤状部３３が適宜変形することで突条部１３ｃとの係合状態が解除されるため、障子２０のスライドに影響を与えることはない。
【００３４】
尚、上述した実施の形態では、開口枠１０に対して２枚の障子２０を左右方向に沿ってスライド可能に配設した建具を例示したが、本発明は必ずしも障子が２枚である必要はなく、またスライド方向も左右に限らない。例えば、障子が上下にスライドする建具にあっては、上枠と上框との間並びに下枠と下框との間にそれぞれ気密保持部材を介在させれば良い。
【００３５】
また、上述した実施の形態では、戸先框２３に設けた気密保持部材３０を戸先枠１３の見付け面に当接させるようにしているが、戸先枠に設けた気密保持部材を戸先框の見付け面に当接させるように構成することも可能である。この場合、気密保持部材を当接させる見付け面は、必ずしもヒレ状に設けた部分である必要はない。
【符号の説明】
【００３６】
１０  開口枠、１３  縦枠、１３ｂ  当接ヒレ部、１３ｃ  突条部、２０  障子、２３  戸先框、２３ａ  対向ヒレ部、３０  外方タイト材、３１  基部、３２  薄板状部、３３  鉤状部、３４  薄肉部
【図１】
2016000902.tif 000003
【図２】
2016000902.tif 000004
【図３】
2016000902.tif 000005
【図４】
2016000902.tif 000006
【図５】
2016000902.tif 000007
【図６】
2016000902.tif 000008
【図７】
2016000902.tif 000009